(57)【要約】【課題】電力の出力及び入力が可能となり、電源出力端子と電源入力端子とを別体として備える場合に比べて、小型化を図ることができるとともに、周辺装置との接続作業において利便性を向上させることができる電子機器を提供する。【解決手段】プロジェクタ１は、プロジェクタ１内の電気回路に電力を供給する内部電源４０と、リモコン信号送信装置や電源装置等の周辺装置と電気的に接続される電源端子５１を備えたている。そして、プロジェクタ１は、電源端子５１に接続された周辺装置に内部電源４０から電力を出力させる電力出力状態と、電源端子５１に接続された周辺装置が備える外部電源から電力を入力させる電力入力状態とを切り替える切替回路６０をさらに備えている。【選択図】図１
2011130617.tif 000002
【特許請求の範囲】
【請求項１】
電気回路に電力を供給する内部電源と、
周辺装置と電気的に接続される電源端子と、
前記電源端子に接続された周辺装置に前記内部電源から電力を出力させる電力出力状態と、前記電源端子に接続された周辺装置が備える外部電源から電力を入力させる電力入力状態とを切り替える切替回路と
を備えることを特徴とする電子機器。
【請求項２】
前記切替回路は、前記電気回路に供給される電力として、前記内部電源から供給される電力、及び、前記外部電源から入力されて供給される電力のうちいずれか一方の電力を選択する選択部を備える
ことを特徴とする請求項１に記載の電子機器。
【請求項３】
前記内部電源は、交流電源から交流電力を得て、この交流電力を直流電力に変換して、前記電気回路に直流電力を供給し、
前記外部電源から入力されて供給される電力は直流電力である
ことを特徴とする請求項１または２に記載の電子機器。
【請求項４】
前記切替回路は、手動によらず、前記電力出力状態と前記電力入力状態とを自動的に切り替えることを特徴とする請求項１〜３のいずれか一項に記載の電子機器。
【請求項５】
前記切替回路は、前記周辺装置が電気的に接続された前記電源端子における電圧と、前記内部電源から供給される電力の電圧とを比較する比較部を備え、
前記比較部による比較結果に基づいて、前記電力出力状態と前記電力入力状態とが切り替えられる
ことを特徴とする請求項４に記載の電子機器。
【請求項６】
外部機器から出力された制御信号が入力される制御信号入力部を備え、
前記制御信号入力部に入力された制御信号に基づいて、前記電力出力状態と前記電力入力状態とが切り替えられる
ことを特徴とする請求項４または５に記載の電子機器。
【請求項７】
手動により操作される操作部を備え、
前記操作部における操作内容に基づいて、前記電力出力状態と前記電力入力状態とが切り替えられる
ことを特徴とする請求項１〜６のいずれか一項に記載の電子機器。
【請求項８】
複数の周辺装置が直列で接続可能であることを特徴とする請求項１〜７のいずれか一項に記載の電子機器。
【発明の詳細な説明】
【技術分野】
【０００１】
本願発明は、内部電源と、周辺装置と電気的に接続される電源端子とを備える電子機器に関するものである。
【背景技術】
【０００２】
一般に、電子機器は、商用交流電源から電力を得て電気回路に電力を供給する内部電源を備えている。また、周辺装置が接続される電子機器は、周辺装置と電気的に接続される電源端子として電源出力端子を備えており、周辺装置に電力を供給する必要がある場合には、電源出力端子に接続された周辺装置に電子機器の内部電源から電力が出力される（例えば、特許文献１参照）。
【０００３】
また、電子機器が、周辺装置と電気的に接続される電源端子として電源入力端子を備える構成が知られている。この場合には、二次電池等の外部電源を備える周辺装置を電源入力端子に接続して、電源入力端子に接続された外部電源から電力を入力させることにより、外部電源から電子機器の電気回路に電力が供給されるように構成されている（例えば、特許文献２参照）。
【先行技術文献】
【特許文献】
【０００４】
【特許文献１】特開２００４−１３５３９７号公報
【特許文献２】特開２００９−１１７９１０号公報
【発明の概要】
【発明が解決しようとする課題】
【０００５】
しかしながら、接続される種々の周辺装置に応じて、内部電源から周辺装置に電力を出力させることを可能とし、かつ、周辺装置が備える外部電源から電力を入力させることも可能とするためには、電子機器の小型化を十分に図ることができない場合があった。即ち、電源出力端子と電源入力端子とを別体として備える電子機器においては、電力の出力及び入力が可能となるものの、それらの電源端子（即ち、電源出力端子及び電源入力端子）を設けるためのスペースが必要となり、電子機器が大型化するという問題がある。より具体的には、電源出力端子と電源入力端子とが、それぞれ別個のコネクタに設けられる場合には、コネクタ数の増えることに起因してプロジェクタ１が大きくなる。また、別体として設けられる電源出力端子と電源入力端子が、１つのコネクタに設けられる場合には、コネクタ自体のサイズが大きくなることに起因してプロジェクタ１が大きくなるという問題がある。
【０００６】
また、電源出力端子と電源入力端子とを別体として備える電子機器においては、周辺装置と電子機器とを接続する際の作業において、利便性が低いという問題がある。より具体的には、電源出力端子と電源入力端子とが、それぞれ別個のコネクタに設けられる場合には、いずれのコネクタを介して周辺装置を電子機器に接続すべきかを考慮する必要があり、電子機器に対する周辺装置の接続作業において利便性が低い。
【０００７】
本発明は、こうした実情に鑑みてなされたものであり、その目的は、電力の出力及び入力が可能となり、電源出力端子と電源入力端子とを別体として備える場合に比べて、小型化を図るとともに、周辺装置との接続作業において利便性を向上させることができる電子機器を提供することにある。
【課題を解決するための手段】
【０００８】
以下、上記目的を達成するための手段及びその作用効果について記載する。
請求項１に記載の発明は、電気回路に電力を供給する内部電源と、周辺装置と電気的に接続される電源端子と、電源端子に接続された周辺装置に内部電源から電力を出力させる電力出力状態と、電源端子に接続された周辺装置が備える外部電源から電力を入力させる電力入力状態とを切り替える切替回路とを備えることを特徴とする。
【０００９】
上記構成によれば、電子機器は、電源端子に接続された周辺装置に内部電源から電力を出力させる電力出力状態と、電源端子に接続された周辺装置が備える外部電源から電力を入力させる電力入力状態とを切り替える切替回路を備えている。即ち、切替回路によって、内部電源から電源端子を介して周辺装置に電力が出力されるか、周辺装置から電源端子を介して電力が入力されるかが切り替えられる。このため、１つの電源端子を、接続される周辺装置に応じて使い分けることにより、電力を出力するための電源出力端子としても、電力を入力するための電源入力端子としても用いることができる。従って、電力の出力及び入力が可能となり、電源出力端子と電源入力端子とを別体として備える場合に比べて、電子機器の小型化を図ることができ、周辺装置との接続作業における利便性を向上させることができる。
【００１０】
請求項２に記載の発明は、請求項１に記載の電子機器であって、切替回路は、電気回路に供給される電力として、内部電源から供給される電力、及び、外部電源から入力されて供給される電力のうちいずれか一方の電力を選択する選択部を備えることを特徴とする。
【００１１】
上記構成によれば、内部電源から供給される電力、または、外部電源から入力されて供給される電力が、電気回路に供給される電力として選択部により選択される。このため、例えば、外部電源から供給される電力が、電気回路に供給される電力として選択されることにより、内部電源から電気回路に電力を供給する必要がなくなる。
【００１２】
請求項３に記載の発明は、請求項１または２に記載の電子機器であって、内部電源は、交流電源から交流電力を得て、この交流電力を直流電力に変換して、電気回路に直流電力を供給し、外部電源から入力されて供給される電力は直流電力であることを特徴とする。
【００１３】
上記構成によれば、内部電源は、交流電源から交流電力を得て、この交流電力を直流電力に変換して、電気回路に直流電力を供給する。従って、交流電源からの電力が適宜変換されて（即ち、ＡＣ／ＤＣ変換されて）、電気回路に直流電力が供給される。一方、外部電源から入力されて供給される電力は直流電力であるため、ＡＣ／ＤＣ変換することなく電気回路に直流電力を供給することができる。従って、例えば、外部電源から供給される電力が、電気回路に供給される電力として選択されることにより、内部電源から電気回路に電力を供給する必要がなくなるため、内部電源でのＡＣ／ＤＣ変換における電力の損失を低減することができる。
【００１４】
請求項４に記載の発明は、請求項１〜３のいずれか一項に記載の電子機器であって、切替回路は、手動によらず、電力出力状態と電力入力状態とを自動的に切り替えることを特徴とする。
【００１５】
上記構成によれば、電源端子を介して周辺装置に内部電源から電力を出力させる電力出力状態と、電源端子を介して周辺装置が備える外部電源から電力を入力させる電力入力状態とが、手動によらず自動的に切り替えられる。このため、電力出力状態と電力入力状態とをユーザーが手動で切り替える手間を省くことができる。
【００１６】
請求項５に記載の発明は、請求項４に記載の電子機器であって、切替回路は、周辺装置が電気的に接続された電源端子における電圧と、内部電源から供給される電力の電圧とを比較する比較部を備え、比較部による比較結果に基づいて、電力出力状態と電力入力状態とが切り替えられることを特徴とする。
【００１７】
上記構成によれば、切替回路が備える比較部による比較結果、即ち、周辺装置が電気的に接続された電源端子における電圧と、内部電源から供給される電力の電圧との比較結果に基づいて、周辺装置に内部電源から電力を出力させる電力出力状態と、周辺装置が備える外部電源から電力を入力させる電力入力状態とが切り替えられる。このため、電源端子に接続された周辺装置に応じて、外部機器から制御されることなく、電力出力状態と電力入力状態とが自動的に切り替わる。
【００１８】
請求項６に記載の発明は、請求項４または５に記載の電子機器であって、外部機器から出力された制御信号が入力される制御信号入力部を備え、制御信号入力部に入力された制御信号に基づいて、電力出力状態と電力入力状態とが切り替えられることを特徴とする。
【００１９】
上記構成によれば、制御信号入力部に入力された制御信号、即ち、外部機器から出力された制御信号に基づいて、周辺装置に内部電源から電力を出力させる電力出力状態と、周辺装置が備える外部電源から電力を入力させる電力入力状態とが切り替えられる。このため、外部機器からの制御信号が制御信号入力部に入力されることにより、電力出力状態と電力入力状態とが自動的に切り替わる。
【００２０】
請求項７に記載の発明は、請求項１〜６のいずれか一項に記載の電子機器であって、手動により操作される操作部を備え、操作部における操作内容に基づいて、電力出力状態と電力入力状態とが切り替えられることを特徴とする。
【００２１】
上記構成によれば、手動により操作される操作部における操作内容に基づいて、周辺装置に内部電源から電力を出力させる電力出力状態と、周辺装置が備える外部電源から電力を入力させる電力入力状態とが切り替えられる。このため、電子機器のユーザーが、操作部を操作することにより、電源端子を、電源出力端子として用いるか、電源入力端子として用いるかを選択することができる。
【００２２】
請求項８に記載の発明は、請求項１〜７のいずれか一項に記載の電子機器であって、複数の周辺装置が直列で接続可能であることを特徴とする。
上記構成によれば、複数の周辺装置が直列で電子機器に接続可能であるため、１つの電源端子を用いて、複数の周辺装置（例えば、リモコン信号送信装置及び電源装置）を同時に電子機器に接続することができる。
【発明の効果】
【００２３】
本発明によれば、電力の出力及び入力が可能となり、電源出力端子と電源入力端子とを別体として備える場合に比べて、電子機器の小型化を図ることができ、周辺装置との接続作業における利便性を向上させることができる。
【図面の簡単な説明】
【００２４】
【図１】本発明の第１の実施形態に係る電子機器の概略構成を示すブロック図。
【図２】（ａ）（ｂ）同実施形態に係る電子機器と周辺装置との接続状態を示すブロック図。
【図３】同実施形態に係る電子機器と周辺装置を示すブロック図であって、電子機器の電力出力状態を説明するための図。
【図４】同実施形態に係る電子機器と周辺装置を示すブロック図であって、電子機器の電力入力状態を説明するための図。
【図５】同実施形態に係る切替回路の動作の流れを示すフローチャート。
【図６】本発明の第２の実施形態に係る電子機器と周辺装置との接続状態を示すブロック図。
【図７】本発明の第３の実施形態に係る電子機器の概略構成を示すブロック図。
【図８】本発明の第４の実施形態に係る電子機器の概略構成を示すブロック図。
【発明を実施するための形態】
【００２５】
（第１の実施形態）
以下、本発明を具体化した実施形態について図面を参照しながら説明する。なお、各図は、電子機器及び周辺装置を説明する上で必要な構成のみを図示した模式図であり、その他の構成については図示及び説明を省略している。
【００２６】
図１に示すように、本実施形態に係る電子機器は、スクリーンや壁等の平面上に映像を投写して表示することができるプロジェクタ１である。プロジェクタ１は、外部から入力される映像信号に基づいて映像を表示するために、映像信号入力部１１と、映像信号入力部１１に入力された映像信号に所定の信号処理を施す映像信号処理部１２と、映像信号処理部１２により信号処理が施された映像信号に基づいて映像を投写して表示するための光学系１３とを備えている。
【００２７】
映像信号入力部１１は、例えば、ＨＤＭＩ端子、ＶＧＡ端子等により構成される有線接続手段としてのコネクタや、アンテナを含んで構成される無線接続手段としての無線モジュール等である。映像信号入力部１１を介してプロジェクタ１に映像信号が入力され、映像信号は映像信号入力部１１から映像信号処理部１２に入力される。
【００２８】
映像信号処理部１２は、プロジェクタ１に入力された映像信号に対して種々の信号処理を施す集積回路であり、映像信号処理部１２は、制御部２１から出力された制御信号に基づいた信号処理を、映像信号に対して施す。信号処理が施された映像信号は、映像信号処理部１２から光学系１３を構成する映像生成部１５に入力される。
【００２９】
また、プロジェクタ１は、光学系１３を構成する光学部品として、光を発する光源１４と、光源１４が発した光を用いて映像を生成する映像生成部１５と、映像の光を拡大して投射する投射部１６とを備えている。
【００３０】
光源１４は、映像表示用の光源であって、例えば超高圧水銀ランプやメタルハライドランプ等の放電ランプ、あるいは高輝度のＬＥＤ（発光ダイオード）により構成されており、光源１４の点灯及び消灯は、制御部２１から出力される制御信号に基づいて切り替えられる。光源１４が発する光（即ち、光源１４から出射された光）は、インテグレータレンズや反射ミラー（いずれも不図示）等の光学部品によって、映像生成部１５に入射するように構成されている。
【００３１】
映像生成部１５は、例えば、ドットマトリクス型のライトバルブである液晶パネルや、微小鏡を格子状に配列したＤＭＤ（Digital Micromirror Device）を備えた電気光学装置により構成されている。映像生成部１５には上述のごとく映像信号が入力され、この映像信号に基づいて液晶パネルやＤＭＤが駆動される。そして、光源１４から出射された光が、液晶パネルを透過したり、ＤＭＤで反射されたりすることによって、映像生成部１５において映像信号に基づいた映像が生成される。
【００３２】
投射部１６は、映像生成部１５により生成された映像の光を拡大して投射するレンズ群により構成されている。従って、映像の光が投射部１６からプロジェクタ１の外部に向けて投射されることにより、プロジェクタ１はスクリーンや壁等の平面上に映像を投写して表示する。
【００３３】
また、プロジェクタ１は、映像信号処理部１２における信号処理や光源１４の点灯態様等を制御する制御部２１と、プロジェクタ１のユーザーによって操作される操作部２２と、プロジェクタ１のユーザーに種々の情報を報知するための報知部２３とを備えている。制御部２１及び操作部２２及び報知部２３は待機システム２０を構成している。
【００３４】
制御部２１は、プロジェクタ１内の各部を制御する集積回路である。具体的には、制御部２１は、例えばマイコンにより構成され、メモリ（図示略）に記憶されたプログラムを制御部２１が実行することにより、そのプログラムに基づき映像信号処理部１２や光源１４を制御するための制御信号が制御部２１から出力される。また、制御部２１は、ユーザーに報知する情報を切り替えるための制御信号を報知部２３に出力して、報知部２３を制御する。
【００３５】
操作部２２は、例えば、ユーザーにより押されるボタンやタッチパネル等により構成されている。操作部２２が操作されることにより、操作部２２の操作内容に応じた電気信号が制御部２１に入力され、制御部２１は操作部２２の操作内容に応じた制御信号を出力する。
【００３６】
報知部２３は、例えば、ＬＥＤ（発光ダイオード）により構成され、報知部２３の点灯態様が変化することによって、光源１４の状態等の情報がユーザーに報知される。即ち、ユーザーに報知する情報に応じて、制御部２１が報知部２３の点灯態様を変化させるように構成されている。具体的には、例えば、光源１４を点灯させて映像を表示している状態である映像表示モード時には、報知部２３を緑色に発光させるように構成され、光源１４を点灯させずに消灯させている状態である待機モード時には、報知部２３を赤色に発光させるように構成されている。
【００３７】
以上のようにプロジェクタ１は、電力を消費する電気回路を備えている。即ち、本実施形態においては、電子機器であるプロジェクタ１は、映像信号処理部１２を構成する電気回路、光学系１３を構成する電気回路、及び待機システム２０を構成する電気回路を備えている。以下、映像信号処理部１２を構成する電気回路、光学系１３を構成する電気回路、及び待機システム２０を構成する電気回路をまとめて、「プロジェクタ１内の電気回路」という。
【００３８】
プロジェクタ１は、交流電源９（図２参照）からプロジェクタ１内の電気回路に電力を供給するための構成要素として、電源ケーブル９ａ（図２参照）が接続されるＡＣインレット３０と、ＡＣインレット３０を介して交流電源９から得られる交流電力を変換して、プロジェクタ１内の電気回路に電力を供給する内部電源４０とを備えている。
【００３９】
ＡＣインレット３０は、商用電源である交流電源９に接続される電源ケーブル９ａを、プロジェクタ１に接続するための部品である。本実施形態においては、ＡＣインレット３０は、３極ＡＣインレットであって、交流電力を搬送するための２本の電線（いわゆる、ライブ線及びニュートラル線）が接続される電源端子３１と、保安用に接地された電線（いわゆる、アース線）が接続される接地端子３２とを備えている。即ち、電源端子３１は、交流電力が搬送されるために、別個の導体により形成された２つの電源入力端子（図示略）により構成されている。そして、電源端子３１を構成する２つの電源入力端子の各々が配線を介して内部電源４０と接続されており、プロジェクタ１の外部にある交流電源９からの電力が、２つの電源入力端子により構成された電源端子３１を介して内部電源４０に供給される。
【００４０】
内部電源４０は、プロジェクタ１内の電気回路の各々に応じた電力を得て、プロジェクタ１内の電気回路の各々に電力を供給する電源回路である。具体的には、内部電源４０は、交流電源９から得た交流電力を、映像信号処理部１２を構成する電気回路、光学系１３を構成する電気回路、及び待機システム２０を構成する電気回路に供給すべき直流電力が得られるように変換する。そして、変換して得た直流電力を、プロジェクタ１内の電気回路に供給する。即ち、内部電源４０は、交流電源９からの電力を、ＡＣ／ＤＣ変換して、映像信号処理部１２を構成する集積回路、光学系１３を構成する光源１４の点灯回路、映像生成部１５を構成する液晶パネルやＤＭＤの駆動回路、及び待機システム２０の制御部２１を構成する集積回路等の電気回路に供給する。
【００４１】
なお、プロジェクタ１内の電気回路への電力供給は、プロジェクタ１の動作態様に応じて、適宜遮断される。即ち、映像を表示しない待機モード時には、光学系１３を構成する光源１４及び映像生成部１５を駆動する必要がないため、光学系１３を構成する電気回路（即ち、光源１４の点灯回路、及び、映像生成部１５を構成する液晶パネルやＤＭＤの駆動回路）に電力が供給されないように構成されている。さらに、待機モード時には、映像信号処理部１２において信号処理を施す必要がないため、映像信号処理部１２を構成する電気回路（即ち、集積回路）に電力が供給されないように構成されている。映像表示モードにおいては上述のごとく映像信号処理部１２、光学系１３、及び待機システム２０を構成する電気回路に電力が供給されるため、映像表示モード時に比べて、待機モード時におけるプロジェクタ１の消費電力は小さい。
【００４２】
一方、待機システム２０を構成する電気回路には、待機モード時においても、電力が供給される。即ち、待機モード時には、光学系１３や映像信号処理部１２を構成する電気回路には電力が供給されずに、待機システム２０を構成する電気回路に電力が供給されるように構成されている。従って、待機モード時においても、制御部２１、操作部２２、及び報知部２３の各部には電力が供給され、待機システム２０はその機能を発揮する。
【００４３】
また、プロジェクタ１は、種々の周辺装置（図２参照）が接続されるための部品として、有線接続手段であるコネクタ５０を備えている。本実施形態においては、コネクタ５０は、電位差が生じる一対の端子である電源端子５１及びＧＮＤ端子５２と、制御信号の一種であるリモコン信号が入力される信号端子５３とを備えている。即ち、プロジェクタ１は、周辺装置と電気的に接続される端子として、電源端子５１及びＧＮＤ端子５２及び信号端子５３を備えている。
【００４４】
電源端子５１及びＧＮＤ端子５２は、それぞれ、別個の導体により形成された端子であり、ＧＮＤ端子５２は、基準電位となるグランドに接続されるグランド端子である。コネクタ５０を構成する電源端子５１及びＧＮＤ端子５２の各々は、内部電源４０から電源端子５１に電力が搬送されるために、配線を介して内部電源４０と電気的に接続される。また、電源端子５１からプロジェクタ１内の電気回路に電力が搬送されるために、電源端子５１及びＧＮＤ端子５２の各々が、内部電源４０以外の電気回路であるプロジェクタ１内の電気回路に電気的に接続される。
【００４５】
信号端子５３は、外部からのリモコン信号が制御部２１に入力されるために、信号線を介して制御部２１と電気的に接続されている。従って、プロジェクタ１の外部から信号端子５３に入力されたリモコン信号が、制御部２１に入力されるように構成されている。そして、制御部２１は、外部から入力されたリモコン信号に基づいた制御信号を出力するように構成されている。
【００４６】
ここで、コネクタ５０に周辺装置が接続された場合における、プロジェクタ１と周辺装置との電力の授受について、図２（ａ）及び（ｂ）を参照しながら説明する。図２（ａ）及び（ｂ）に示すように、プロジェクタ１にはコネクタ５０を介して種々の周辺装置が接続可能である。即ち、コネクタ５０は、種々の周辺装置が接続可能な汎用性のあるコネクタ形状を有しており、本実施形態においては、接続される周辺装置に応じて、プロジェクタ１と周辺装置との電力の授受の関係が変化する。
【００４７】
図２（ａ）に示すように、周辺装置であるリモコン信号送信装置７がプロジェクタ１に接続された場合には、制御信号の一種であるリモコン信号が、リモコン信号送信装置７からプロジェクタ１へ送信されるとともに、リモコン信号送信装置７の動作に必要な直流電力が、プロジェクタ１からリモコン信号送信装置７へ供給される構成となる。即ち、内部電源４０から電源端子５１へ直流電力が搬送されて、プロジェクタ１は、電源端子５１に接続されたリモコン信号送信装置７に内部電源４０から電力を出力させる電力出力状態となる。
【００４８】
電力出力状態となる場合にプロジェクタ１に接続されるリモコン信号送信装置７の構成と、プロジェクタ１及びリモコン信号送信装置７の接続態様とを、図３等を参照しながら詳しく説明する。
【００４９】
図２（ａ）及び図３に示すように、リモコン信号送信装置７は、ケーブル７ａを介してプロジェクタ１に接続される。ケーブル７ａには、プロジェクタ１のコネクタ５０に対応するコネクタ７ｂが設けられている。コネクタ７ｂは、コネクタ５０と同様に、直流電力が搬送されるための電源端子７１及びＧＮＤ端子７２と、リモコン信号が搬送されるための信号端子７３とを備えている。コネクタ５０とコネクタ７ｂとが接続されることにより、電源端子５１と電源端子７１とが電気的に接続され、ＧＮＤ端子５２とＧＮＤ端子７２とが電気的に接続され、信号端子５３と信号端子７３とが電気的に接続される。なお、ケーブル７ａは、リモコン信号送信装置７に対して着脱自在に設けられる構成である。
【００５０】
そして、図３に示すように、リモコン信号送信装置７は、手動により操作される操作部７４と、操作部７４の操作内容に基づいてリモコン信号を送信する信号送信部７５とを備えている。操作部７４及び信号送信部７５の各々は、配線によりコネクタ７ｂを構成する電源端子７１及びＧＮＤ端子７２に接続されている。また、信号送信部７５は、信号線を介して信号端子７３に接続されている。
【００５１】
操作部７４は、操作部２２と同様に、例えば、ユーザーにより押されるボタンやタッチパネル等により構成されている。操作部７４が操作されることにより、操作部７４の操作内容に応じた電気信号が信号送信部７５に入力される。
【００５２】
信号送信部７５は、リモコン信号を送信する信号送信モジュールにより構成されている。信号送信部７５は、操作部７４から入力された電子信号に基づいてリモコン信号を生成し、生成されたリモコン信号を信号端子７３に出力する。
【００５３】
以上のような構成のリモコン信号送信装置７が、コネクタ５０とコネクタ７ｂとが接続されることによってプロジェクタ１に接続された場合には、内部電源４０から電源端子５１，７１を介してリモコン信号送信装置７内の電気回路（即ち、操作部７４及び信号送信部７５を構成する電気回路）に直流電力が供給される。また、信号送信部７５から信号端子７３を介してプロジェクタ１の信号端子５３にリモコン信号が入力される。
【００５４】
一方、図２（ｂ）に示すように、周辺装置である電源装置８がプロジェクタ１に接続された場合には、プロジェクタ１の動作に必要な直流電力が、電源装置８からプロジェクタ１へ供給される構成となる。即ち、電源端子５１からプロジェクタ１内の電気回路へ直流電力が搬送されて、プロジェクタ１は、電源端子５１に接続された電源装置８が備える外部電源８０から電力を入力させる電力入力状態となる。このとき、外部電源８０からの入力電圧の大きさは、内部電源４０から電源出力用開閉部６１への入力電圧の大きさ以上である。
【００５５】
なお、本実施形態においては、電源装置８からプロジェクタ１に供給される電力は、プロジェクタ１の全体の動作に十分な電力であるため、電源装置８がプロジェクタ１に接続された場合は、交流電源９からプロジェクタ１への電力供給が遮断されることが好ましい。以上のように、内部電源４０に代えて外部電源８０からプロジェクタ１内の電気回路へ電力が供給されるように構成されている場合には、光源点灯時である映像表示モードよりも消費電力が非常に小さくなる待機状態（待機モード）等において、電力変換が低損失の電源を内部電源４０として採用しないようにすることができる。電力変換が低損失の電源としては、例えば待機状態において電力変換を低損失化する電源が要求され、この要求に最適化した電源部（不図示）を別途追加する必要があり、これが大型化の要因となるため、電力変換が低損失の電源を内部電源４０として採用しないようにすることによって、プロジェクタ１の大型化を抑制することができる。
【００５６】
電力入力状態となる場合にプロジェクタ１に接続される電源装置８の構成と、プロジェクタ１及び電源装置８の接続態様とを、図４等を参照しながら詳しく説明する。
図２（ｂ）及び図４に示すように、電源装置８は、リモコン信号送信装置７と同様に、ケーブル８ａを介してプロジェクタ１に接続される。ケーブル８ａには、プロジェクタ１のコネクタ５０に対応するコネクタ８ｂが設けられている。コネクタ８ｂは、コネクタ５０と同様に、直流電力が搬送されるための電源端子８１及びＧＮＤ端子８２と、信号端子８３とを備えている。コネクタ５０とコネクタ８ｂとが接続されることにより、電源端子５１と電源端子８１とが電気的に接続され、ＧＮＤ端子５２とＧＮＤ端子８２とが電気的に接続され、信号端子５３と信号端子８３とが電気的に接続される。なお、本実施形態においては、電源装置８からリモコン信号等は送信されないため、信号端子８３は電源装置８内の電気回路に接続されないダミー端子である。
【００５７】
また、ケーブル８ａは、電源装置８に対して着脱自在に設けられる構成である。従って、本実施形態においては、周辺装置にケーブル７ａ，８ａが着脱自在に設けられるため、
ケーブル７ａ，８ａを、種々の周辺装置に設けられるケーブルとして共有化することが可能である。
【００５８】
そして、図４に示すように、電源装置８は、交流電源９とは別の電源であって、直流電源である外部電源８０を備えている。外部電源８０は、配線によりコネクタ８ｂを構成する電源端子８１及びＧＮＤ端子８２に接続されている。外部電源８０は、プロジェクタ１内の電気回路の各々に供給すべき直流電力を出力する電源である。外部電源８０は、例えば二次電池により構成されている。
【００５９】
以上のような構成の電源装置８が、コネクタ５０とコネクタ８ｂとが接続されることによってプロジェクタ１に接続された場合には、外部電源８０から電源端子８１，５１を介してプロジェクタ１内の電気回路に直流電力が供給される。
【００６０】
ここで、本実施形態においては、プロジェクタ１が、電源端子５１に接続された周辺装置に内部電源４０から電力を出力させる電力出力状態と、電源端子５１に接続された周辺装置が備える外部電源８０から電力を入力させる電力入力状態とを切り替える切替回路６０を備えることに特徴がある。このような構成により、上述のごとく、プロジェクタ１が備える電源端子５１を、場合に応じて、電源出力端子として用いたり電源入力端子として用いたりすることが可能である。
【００６１】
図１に示すように、本実施形態に係る切替回路６０は、プロジェクタ１から周辺装置に電力を出力させるために電気回路を開閉する電源出力用開閉部６１と、周辺装置からプロジェクタ１に電力を入力させるために電気回路を開閉する電源入力用開閉部６２と、電力供給元となる電源を選択するための選択部６３とを備えている。
【００６２】
電源出力用開閉部６１は、内部電源４０とコネクタ５０を構成する端子とを電気的に接続する配線に設けられた回路構成である。具体的には、電源出力用開閉部６１は、内部電源４０と電源端子５１とを接続する配線、及び、内部電源４０とＧＮＤ端子５２とを接続する配線の少なくとも一方の配線に設けられたリレーまたはトランジスタ等のスイッチ素子により構成されている。電源出力用開閉部６１が閉状態となることによって、内部電源４０から電源端子５１を備えたコネクタ５０に電流が流れるようになり、内部電源４０から電源端子５１への直流電力の搬送が可能となる。従って、プロジェクタ１が電力出力状態であるときは、電源出力用開閉部６１は、閉状態となることによって、内部電源４０からの電力をコネクタ５０の電源端子５１に出力する。このとき、内部電源４０から電源出力用開閉部６１への入力電圧の大きさは、電源出力用開閉部６１から電源端子５１への出力電圧の大きさ以上となる。このような電圧の大小関係をより確実にするためには、内部電源４０と電源端子５１とを電気的に接続する配線に、ダイオード（図示略）を、アノードが内部電源４０側に設けられるとともにカソードが電源端子５１側に設けられるように直列に挿入する。このような構成により、内部電源４０から電源出力用開閉部６１への入力電圧は、ダイオードの順方向の電圧（即ちアノードからカソードへの電圧降下分）だけ、電源出力用開閉部６１から電源端子５１への出力電圧よりも大きくなる。一方、電源出力用開閉部６１が開状態となることによって、内部電源４０から電源端子５１を備えたコネクタ５０に電流が流れないようになり、内部電源４０から電源端子５１への直流電力の搬送が禁止される。
【００６３】
電源入力用開閉部６２は、コネクタ５０を構成する端子とプロジェクタ１内の電気回路とを電気的に接続する配線に設けられた回路構成である。具体的には、電源入力用開閉部６２は、電源端子５１とプロジェクタ１内の電気回路とを接続する配線、及び、ＧＮＤ端子５２とプロジェクタ１内の電気回路とを接続する配線の少なくとも一方の配線に設けられたリレーまたはトランジスタ等のスイッチ素子により構成されている。電源入力用開閉部６２が閉状態となることによって、電源端子５１からプロジェクタ１内の電気回路に電流が流れるようになり、電源端子５１からプロジェクタ１内の電気回路への直流電力の搬送が可能となる。従って、プロジェクタ１が電力入力状態であるときは、電源入力用開閉部６２は、閉状態となることによって、コネクタ５０の電源端子５１からの電力をプロジェクタ１内の電気回路に出力する。このとき、電源端子５１から電源入力用開閉部６２への入力電圧（即ち、外部電源８０からの入力電圧）の大きさは、内部電源４０から電源出力用開閉部６１への入力電圧の大きさ以上となる。一方、電源入力用開閉部６２が開状態となることによって、電源端子５１からプロジェクタ１内の電気回路とを含む電気回路に電流が流れないようになり、電源端子５１からプロジェクタ１内の電気回路への直流電力の搬送が遮断される。
【００６４】
以上のようにリレーまたはトランジスタ等のスイッチ素子により構成される電源出力用開閉部６１及び電源入力用開閉部６２は、それぞれ別個の電子部品により構成されていても、１つの電子部品により構成されていてもよい。また、電源出力用開閉部６１及び電源入力用開閉部６２を構成するリレーは、有接点型の機械式リレー及び無接点型の半導体リレーのいずれでもよいが、半導体リレーであることが好ましい。
【００６５】
選択部６３は、内部電源４０と電源端子５１とが、プロジェクタ１内の電気回路に接続される配線に設けられた回路構成であり、選択部６３は、プロジェクタ１内の電気回路を、内部電源４０と接続するか電源端子５１と接続するかを切り替えるリレーにより構成されている。従って、プロジェクタ１内の電気回路と内部電源４０とが電気的に接続されると、内部電源４０から搬送される直流電力がプロジェクタ１内の電気回路に供給されて、電源端子５１からプロジェクタ１内の電気回路への電力供給が遮断される構成となっている。一方、プロジェクタ１内の電気回路と電源端子５１とが電気的に接続されると、電源端子５１から搬送される直流電力がプロジェクタ１内の電気回路に供給されて、内部電源４０からプロジェクタ１内の電気回路への電力供給が遮断される。即ち、選択部６３は、プロジェクタ１内の電気回路に供給される電力として、内部電源４０から搬送される電力、及び、電源端子５１から搬送される電力のうちいずれか一方の電力を選択するスイッチである。なお、本実施形態においては、電源入力用開閉部６２が閉状態となって、かつ、プロジェクタ１内の電気回路と電源端子５１とが電気的に接続されると、電源端子５１から直流電力がプロジェクタ１内の電気回路に供給される。
【００６６】
さらに、本実施形態に係る切替回路６０は、電圧を比較するとともに、その比較結果に基づいて電源出力用開閉部６１及び電源入力用開閉部６２及び選択部６３を制御する比較部６４を備えている。即ち、本実施形態においては、電源出力用開閉部６１及び電源入力用開閉部６２及び選択部６３の制御を制御部２１に依存しないように構成され、比較部６４を含む簡単な構成の論理回路で構成されている。
【００６７】
比較部６４は、２点間における電圧を比較する電圧コンパレータにより構成されている。比較部６４は、電源出力用開閉部６１が開状態において、内部電源４０に接続されている配線、及び、電源端子５１に接続されている配線の双方の配線に接続されている。そして、比較部６４は、内部電源４０からの電圧Ｖ１と、電源端子５１からの電圧Ｖ２とを比較して、その比較結果に基づく電気信号を、電源出力用開閉部６１及び電源入力用開閉部６２及び選択部６３に出力する。電源出力用開閉部６１及び電源入力用開閉部６２及び選択部６３は、比較部６４から入力される電気信号に基づいて動作する。即ち、電源出力用開閉部６１と電源入力用開閉部６２の開状態及び閉状態は、比較部６４によって切り替えられ、選択部６３の電源の選択も比較部６４により切り替えられる。
【００６８】
次に、本実施形態に係る切替回路６０が電力出力状態と電力入力状態とを切り替える際の、プロジェクタ１の動作の流れを、図５を参照しながら詳しく説明する。なお、図５に示す動作は、コネクタ５０に周辺装置が接続されたことを検知してスタートするように構成されていてもよく、周期的にスタートするように構成されていてもよい。
【００６９】
まず、切替回路６０を構成する比較部６４が、電源出力用開閉部６１が開状態における、内部電源４０からの電圧Ｖ１と、電源端子５１からの電圧Ｖ２とを比較し（ステップＳ１）、内部電源４０からの電圧Ｖ１が、電源端子５１からの電圧Ｖ２に比べて大きいか否かを判断する（ステップＳ２）。ここで、プロジェクタ１にリモコン信号送信装置７が接続されている場合には、リモコン信号送信装置７からプロジェクタ１へ電力が供給されないため、電源出力用開閉部６１が開状態において、電圧Ｖ１は電圧Ｖ２よりも大きくなる。一方、プロジェクタ１に電源装置８が接続されている場合には、内部電源４０から電源出力用開閉部６１への入力電圧Ｖ１以上の大きさで電源装置８からプロジェクタ１へその動作に十分な電力が供給されるため、電圧Ｖ２は、電圧Ｖ１と同じに、または電圧Ｖ１よりも大きくなる。従って、ステップＳ２においては、プロジェクタ１に接続された周辺装置が判別される。
【００７０】
内部電源４０からの電圧Ｖ１が電源端子５１からの電圧Ｖ２に比べて大きいとステップＳ２において判断された場合には（即ち、Ｖ１＞Ｖ２の場合には）、比較部６４は、プロジェクタ１が電力出力状態となる電気信号を、電源出力用開閉部６１及び電源入力用開閉部６２に出力する（ステップＳ３）。即ち、ステップＳ３においては、比較部６４は、電源出力用開閉部６１を閉状態とする電気信号を電源出力用開閉部６１に出力し、電源入力用開閉部６２を開状態とする電気信号を電源入力用開閉部６２に出力する。このようにして、電源出力用開閉部６１が閉状態となって、プロジェクタ１は電力出力状態となる。
【００７１】
そして、ステップＳ３に次いで、電力出力状態となるプロジェクタ１において、プロジェクタ１内の電気回路の電源として内部電源４０を選択部６３に選択させる（ステップＳ４）。即ち、ステップＳ４においては、比較部６４が、内部電源４０からの電圧Ｖ１が電源端子５１からの電圧Ｖ２に比べて大きいと判断されたことに伴い、プロジェクタ１内の電気回路と内部電源４０とを電気的に接続する電気信号を選択部６３に出力する。このようにして、選択部６３は、プロジェクタ１内の電気回路に供給される電力として、内部電源４０から搬送される電力を選択し、内部電源４０からプロジェクタ１内の電気回路に電力が供給される。
【００７２】
一方、内部電源４０からの電圧Ｖ１が電源端子５１からの電圧Ｖ２に比べて大きくないとステップＳ２において判断された場合には（即ち、Ｖ１≦Ｖ２の場合には）、比較部６４は、プロジェクタ１が電力入力状態となる電気信号を、電源出力用開閉部６１及び電源入力用開閉部６２に出力する（ステップＳ５）。即ち、ステップＳ５においては、比較部６４は、電源出力用開閉部６１を開状態とする電気信号を電源出力用開閉部６１に出力し、電源入力用開閉部６２を閉状態とする電気信号を電源入力用開閉部６２に出力する。このようにして、電源入力用開閉部６２が閉状態となって、プロジェクタ１は電力入力状態となる。
【００７３】
そして、ステップＳ５に次いで、電力入力状態となるプロジェクタ１において、プロジェクタ１内の電気回路の電源として外部電源８０を選択部６３に選択させる（ステップＳ６）。即ち、ステップＳ６においては、比較部６４が、内部電源４０からの電圧Ｖ１が電源端子５１からの電圧Ｖ２に比べて大きくないと判断されたことに伴い、プロジェクタ１内の電気回路と電源端子５１とを電気的に接続する電気信号を選択部６３に出力する。このようにして、選択部６３は、プロジェクタ１内の電気回路に供給される電力として、電源端子５１から搬送される電力を選択し、外部電源８０からプロジェクタ１内の電気回路に電力が供給される。
【００７４】
本実施形態によれば、以下の作用効果を得ることができる。
（１）プロジェクタ１は、プロジェクタ１内の電気回路に電力を供給する内部電源４０と、リモコン信号送信装置７や電源装置８等の周辺装置と電気的に接続される電源端子５１を備えた構成である。そして、プロジェクタ１は、電源端子５１に接続された周辺装置であるリモコン信号送信装置７に内部電源４０から電力を出力させる電力出力状態と、電源端子５１に接続された周辺装置である電源装置８が備える外部電源８０から電力を入力させる電力入力状態とを切り替える切替回路６０をさらに備えている。即ち、切替回路６０によって、内部電源４０から電源端子５１を介して周辺装置に電力が出力されるか、周辺装置から電源端子５１を介して電力が入力されるかが切り替えられる。このため、１つの電源端子５１を、接続される周辺装置であるリモコン信号送信装置７及び電源装置８に応じて使い分けることにより、電力を出力するための電源出力端子としても、電力を入力するための電源入力端子としても用いることができる。従って、電力の出力及び入力が可能となり、電源出力端子と電源入力端子とを別体として備える場合に比べて、コネクタ５０とは異なるコネクタ（不図示）が不要となり、また、コネクタ５０自体のサイズが大きくなることを抑制することができるため、プロジェクタ１の小型化を図ることができる。また、周辺装置に接続されるコネクタ５０を１つに統一することができるため、プロジェクタ１と周辺装置とを接続する作業者は、コネクタ５０とは異なるコネクタであって、周辺装置に接続可能な他のコネクタ（不図示）をプロジェクタ１が備えている場合に比べて、周辺装置を接続すべきコネクタ５０を容易に把握することができる。従って、電子機器と周辺装置との接続作業における利便性を向上させることができる。
【００７５】
（２）切替回路６０は、プロジェクタ１内の電気回路に供給される電力として、内部電源４０から供給される電力、及び、外部電源８０から入力されて供給される電力のうちいずれか一方の電力を選択する選択部６３を備える。即ち、内部電源４０から供給される電力、または、外部電源８０から入力されて供給される電力が、プロジェクタ１内の電気回路に供給される電力として選択部６３により選択される。このため、例えば、外部電源８０から供給される電力が、プロジェクタ１内の電気回路に供給される電力として選択されることにより、内部電源４０からプロジェクタ１内の電気回路に電力を供給する必要がなくなる。
【００７６】
（３）内部電源４０は、交流電源９から交流電力を得て、この交流電力を直流電力に変換して、プロジェクタ１内の電気回路に直流電力を供給している。従って、交流電源９からの電力が、適宜変換されて（即ち、ＡＣ／ＤＣ変換されて）プロジェクタ１内の電気回路に直流電力が供給される。一方、外部電源８０から入力されて供給される電力は直流電力であるため、ＡＣ／ＤＣ変換することなくプロジェクタ１内の電気回路に直流電力を供給することができる。従って、外部電源８０から供給される電力が、プロジェクタ１内の電気回路に供給される電力として選択されることにより、内部電源４０からプロジェクタ１内の電気回路に電力を供給する必要がなくなるため、内部電源４０でのＡＣ／ＤＣ変換における電力の損失を低減することができる。
【００７７】
（４）切替回路６０は、手動によらず、電力出力状態と電力入力状態とを自動的に切り替える。即ち、電源端子５１を介して周辺装置であるリモコン信号送信装置７に内部電源４０から電力を出力させる電力出力状態と、電源端子５１を介して周辺装置である電源装置８が備える外部電源８０から電力を入力させる電力入力状態とが、手動によらず自動的に切り替えられる。このため、電力出力状態と電力入力状態とをユーザーが手動で切り替える手間を省くことができる。
【００７８】
（５）切替回路６０は、周辺装置（即ち、リモコン信号送信装置７または電源装置８）が電気的に接続された電源端子５１における電圧Ｖ２と、内部電源４０から供給される電力の電圧Ｖ１とを比較する比較部６４を備え、比較部６４による比較結果に基づいて、電力出力状態と電力入力状態とが切り替えられる。即ち、周辺装置が電気的に接続された電源端子５１における電圧Ｖ２と、内部電源４０から供給される電力の電圧Ｖ１との比較結果に基づいて、周辺装置に内部電源４０から電力を出力させる電力出力状態と、周辺装置が備える外部電源８０から電力を入力させる電力入力状態とが切り替えられる。このため、電源端子５１に接続された周辺装置に応じて、外部機器（図示略）から制御されることなく、電力出力状態と電力入力状態とが自動的に切り替わる。
【００７９】
（第２の実施形態）
次に、上記第１の実施形態に係るプロジェクタ１と周辺装置との接続態様を変更した第２の実施形態について、図６を参照しながら説明する。なお、第１の実施形態と同様の構成部分については、同一の符号を付して、その説明を省略又は簡略化する。
【００８０】
図６に示すように、本実施形態においては、プロジェクタ１には、１つのコネクタ５０を用いて、電源装置８とリモコン信号送信装置７とが数珠繋ぎ（いわゆるデイジーチェーン）で接続される。具体的には、電源装置８を介してリモコン信号送信装置７がプロジェクタ１に接続される。
【００８１】
本実施形態に係る電源装置８は、プロジェクタ１と同様に、リモコン信号送信装置７と電気的に接続される端子を備えたコネクタ５０を備えている。電源装置８が備えるコネクタ５０は、プロジェクタ１が備えるコネクタ５０と同様に、電源端子及びＧＮＤ端子と信号端子とを備えている。従って、リモコン信号送信装置７は、コネクタ７ｂが設けられたケーブル７ａを介して、電源装置８に接続することができる。
【００８２】
従って、電源装置８が備えるコネクタ５０とコネクタ７ｂとが接続されることによって外部電源８０から、リモコン信号送信装置７内の電気回路に直流電力が供給される。即ち、本実施形態においては、直流電力が電源装置８からプロジェクタ１へ供給されるだけでなく、直流電力が電源装置８からリモコン信号送信装置７へも供給される構成である。
【００８３】
また、リモコン信号送信装置７が備える信号送信部７５（図３参照）から出力されるリモコン信号は、電源装置８を介して、プロジェクタ１の信号端子５３（図１等参照）にリモコン信号が入力される。即ち、本実施形態においては、電源装置８が備える信号端子８３（図３参照）は、電源装置８内の電気回路である配線を介して、電源装置８が備えるコネクタ５０を構成する信号端子に接続されており、信号端子８３はダミー端子として構成されるものではない。
【００８４】
本実施形態の電子機器システムによれば、以下の作用効果を得ることができる。
（６）複数の周辺装置（即ち、リモコン信号送信装置７及び電源装置８）が直列でプロジェクタ１に接続可能である。このため、１つの電源端子５１を用いて、リモコン信号送信装置７及び電源装置８を同時にプロジェクタ１に接続することができる。
【００８５】
（第３の実施形態）
次に、上記実施形態に係るプロジェクタ１の構成を変更した第３の実施形態について、図７を参照しながら説明する。なお、第１の実施形態と同様の構成部分については、同一の符号を付して、その説明を省略又は簡略化する。
【００８６】
本実施形態に係るプロジェクタ１は、比較部６４（図１参照）に代えて、制御端子５４を備えている。制御端子５４は、コンピュータ等の外部機器（図示略）から出力された制御信号が入力される制御信号入力部である。
【００８７】
制御端子５４は、外部機器と電気的に接続される端子であって、電源端子５１等と同様にコネクタに設けられている。制御端子５４が設けられるコネクタは、電源端子５１等が設けられたコネクタ５０と別体として構成された他のコネクタ（不図示）である。周辺装置が接続されるコネクタ５０と、制御端子５４が設けられた他のコネクタは、プロジェクタ１と周辺装置とを接続する作業者が容易に区別できるように、外観上明確に異なる形状で形成されていることが好ましい。
【００８８】
制御端子５４に入力された電気信号である制御信号は、電源出力用開閉部６１及び電源入力用開閉部６２及び選択部６３に入力される。従って、本実施形態においては電源出力用開閉部６１及び電源入力用開閉部６２及び選択部６３は、外部機器から制御端子５４を介して入力される電気信号に基づいて動作する。即ち、本実施形態においては、電源出力用開閉部６１と電源入力用開閉部６２の開状態及び閉状態は、外部機器によって切り替えられ、選択部６３の電源の選択も外部機器により切り替えられる。
【００８９】
より具体的には、本実施形態においては、プロジェクタ１にリモコン信号送信装置７が接続されている状態において、外部機器から電力出力状態とする制御信号が制御端子５４に入力されると、上記ステップＳ３と同様に、プロジェクタ１が電力出力状態となる電気信号が、電源出力用開閉部６１及び電源入力用開閉部６２に入力される。さらに、上記ステップＳ４と同様に、プロジェクタ１内の電気回路と内部電源４０とを電気的に接続する電気信号が選択部６３に入力される。
【００９０】
一方、プロジェクタ１に電源装置８が接続されている状態において、外部機器から電力入力状態とする制御信号が制御端子５４に入力されると、上記ステップＳ５と同様に、プロジェクタ１が電力入力状態となる電気信号が、電源出力用開閉部６１及び電源入力用開閉部６２に入力される。さらに、上記ステップＳ６と同様に、プロジェクタ１内の電気回路と電源端子５１とを電気的に接続する電気信号が選択部６３に入力される。
【００９１】
本実施形態によれば、上記（１）〜（４）の作用効果に加えて、以下の作用効果を得ることができる。
（７）プロジェクタ１は、コンピュータ等の外部機器から出力された制御信号が入力される制御端子５４を備えている。そして、制御端子５４に入力された制御信号、即ち、外部機器から出力された制御信号に基づいて、周辺装置であるリモコン信号送信装置７に内部電源４０から電力を出力させる電力出力状態と、周辺装置である電源装置８が備える外部電源８０から電力を入力させる電力入力状態とが切り替えられる。このため、外部機器からの制御信号が制御端子５４に入力されることにより、電力出力状態と電力入力状態とが自動的に切り替わる。
【００９２】
（第４の実施形態）
次に、上記実施形態に係るプロジェクタ１の構成を変更した第４の実施形態について、図８を参照しながら説明する。なお、上記実施形態と同様の構成部分については、同一の符号を付して、その説明を省略又は簡略化する。
【００９３】
本実施形態に係るプロジェクタ１は、切り替え制御用操作部５５を備えている。切り替え制御用操作部５５は、操作部２２と同様に、例えば、ユーザーにより押されるボタンやタッチパネル等により構成されている。切り替え制御用操作部５５が操作されることにより、切り替え制御用操作部５５の操作内容に応じた電気信号が、電源出力用開閉部６１及び電源入力用開閉部６２及び選択部６３に入力される。従って、本実施形態においては電源出力用開閉部６１及び電源入力用開閉部６２及び選択部６３は、切り替え制御用操作部５５の操作内容に基づいて動作する。即ち、本実施形態においては、電源出力用開閉部６１と電源入力用開閉部６２の開状態及び閉状態は、ユーザーによって切り替えられ、選択部６３の電源の選択もユーザーにより切り替えられる。
【００９４】
より具体的には、本実施形態においては、プロジェクタ１に接続されたリモコン信号送信装置７に電力を出力するように切り替え制御用操作部５５が操作されると、上記ステップＳ３と同様に、プロジェクタ１が電力出力状態となる電気信号が、電源出力用開閉部６１及び電源入力用開閉部６２に入力される。さらに、上記ステップＳ４と同様に、プロジェクタ１内の電気回路と内部電源４０とを電気的に接続する電気信号が選択部６３に入力される。
【００９５】
一方、プロジェクタ１に接続された電源装置８から電力を入力するように切り替え制御用操作部５５が操作されると、上記ステップＳ５と同様に、プロジェクタ１が電力入力状態となる電気信号が、電源出力用開閉部６１及び電源入力用開閉部６２に入力される。さらに、上記ステップＳ６と同様に、プロジェクタ１内の電気回路と電源端子５１とを電気的に接続する電気信号が選択部６３に入力される。
【００９６】
本実施形態によれば、上記（１）〜（３）の作用効果に加えて、以下の作用効果を得ることができる。
（８）プロジェクタ１は、手動により操作される切り替え制御用操作部５５を備え、切り替え制御用操作部５５における操作内容に基づいて、電力出力状態と電力入力状態とが切り替えられる。即ち、手動により操作される切り替え制御用操作部５５における操作内容に基づいて、周辺装置であるリモコン信号送信装置７に内部電源４０から電力を出力させる電力出力状態と、周辺装置である電源装置８が備える外部電源８０から電力を入力させる電力入力状態とが切り替えられる。このため、プロジェクタ１のユーザーが、切り替え制御用操作部５５を操作することにより、電源端子５１を、電源出力端子として用いるか、電源入力端子として用いるかを選択することができる。
【００９７】
なお、本発明は、上記実施形態に限定されるものではなく、本発明の趣旨に基づいて種々の設計変更をすることが可能であり、それらを本発明の範囲から除外するものではない。例えば、上記実施形態を以下のように変更してもよく、以下の変更を組み合わせて実施してもよい。
【００９８】
・上記各実施形態において、制御部２１が、電源出力用開閉部６１及び電源入力用開閉部６２及び選択部６３を制御するための電気信号を、電源出力用開閉部６１及び電源入力用開閉部６２及び選択部６３に出力するように構成してもよい。
【００９９】
具体的には、例えば、上記第１の実施形態の構成を変更して、比較部６４による電圧Ｖ１と電圧Ｖ２の比較結果を制御部２１が取得し、制御部２１が、その比較結果に基づく電気信号を電源出力用開閉部６１及び電源入力用開閉部６２及び選択部６３に出力するように構成してもよい。また、例えば、上記第３の実施形態の構成を変更して、制御端子５４を介して、制御部２１に外部機器からの制御信号が入力されるように構成して、制御部２１が、外部機器からの電気信号である制御信号を、電源出力用開閉部６１及び電源入力用開閉部６２及び選択部６３に出力するように構成してもよい。また、例えば、上記第４の実施形態の構成を変更して、切り替え制御用操作部５５の操作内容を制御部２１が取得し、制御部２１が、その操作内容に応じた電気信号を、電源出力用開閉部６１及び電源入力用開閉部６２及び選択部６３に出力するように構成してもよい。
【０１００】
・上記第３の実施形態において、信号端子５３が制御端子５４を兼ねるように構成してもよい。また、上記第４の実施形態において、操作部２２が切り替え制御用操作部５５を兼ねるように構成してもよい。
【０１０１】
・プロジェクタ１が電力入力状態において、内部電源４０及び外部電源８０の双方から、プロジェクタ１内の電気回路に電力が供給されるように構成してもよい。即ち、プロジェクタ１内の電気回路に供給される電力として、内部電源４０から供給される電力、及び、外部電源８０から入力されて供給される電力のうちいずれか一方の電力を選択する選択部６３を省略した構成としてもよい。
【０１０２】
・電源端子５１から搬送される電力は、映像信号処理部１２を構成する電気回路、光学系１３を構成する電気回路、及び待機システム２０を構成する電気回路の全ての電気回路に供給されなくてもよい。即ち、例えば、外部電源８０から待機システム２０を構成する電気回路のみに電力が供給されるように構成されていてもよい。また、このように構成される場合において、電源装置８が接続されているプロジェクタ１において、待機モード時になったときに、待機システム２０を構成する電気回路に供給される電力として、外部電源８０から入力されて供給される電力が選択されるように構成してもよい。
【０１０３】
・上記実施形態において、リモコン信号送信装置７及び電源装置８を周辺装置の一例として説明したが、これら以外の周辺装置がプロジェクタ１に接続される構成であってもよい。また、外部電源８０を備える周辺装置が、外部電源８０からプロジェクタ１に電力を供給する機能とは異なる他の機能を有していてもよく、この場合、外部電源８０を備える周辺装置に内部電源４０から電力を出力するように構成してもよい。
【０１０４】
即ち、接続される種々の周辺装置に応じて、電力出力状態と電力入力状態とを切り替えるだけでなく、同一の周辺装置が接続されている場合に、電力出力状態と電力入力状態とを切り替える場合にも、本願発明に係る上記構成を適用して、上記実施形態に準じた作用効果を奏することができる。
【０１０５】
・本願発明に係る上記構成をプロジェクタ１以外の電子機器に適用してもよい。即ち、テレビ受信機やオーディオ機器等のその他の電子機器についても上記実施形態に準じた態様をもって本発明を適用することができる。その場合にも上記実施形態に準じた作用効果を奏することができる。
【符号の説明】
【０１０６】
１…プロジェクタ（電子機器）、７…リモコン信号送信装置（周辺装置）、７ａ…ケーブル、７ｂ…コネクタ、８…電源装置（周辺装置）、８ａ…ケーブル、８ｂ…コネクタ、９…交流電源、９ａ…電源ケーブル、１１…映像信号入力部、１２…映像信号処理部、１３…光学系、１４…光源、１５…映像生成部、１６…投射部、２０…待機システム、２１…制御部、２２…操作部、２３…報知部、３０…ＡＣインレット、３１…電源端子、３２…接地端子、４０…内部電源、５０…コネクタ、５１…電源端子、５２…ＧＮＤ端子、５３…信号端子、５４…制御端子（制御信号入力部）、５５…切り替え制御用操作部、６０…切替回路、６１…電源出力用開閉部、６２…電源入力用開閉部、６３…選択部、６４…比較部、７１…電源端子、７２…ＧＮＤ端子、７３…信号端子、７４…操作部、７５…信号送信部、８０…外部電源、８１…電源端子、８２…ＧＮＤ端子、８３…信号端子。
【図１】
2011130617.tif 000003
【図２】
2011130617.tif 000004
【図３】
2011130617.tif 000005
【図４】
2011130617.tif 000006
【図５】
2011130617.tif 000007
【図６】
2011130617.tif 000008
【図７】
2011130617.tif 000009
【図８】
2011130617.tif 000010